(57)【特許請求の範囲】
【請求項１】
重合され貼り合わされた２枚のシートの間に非接触ＩＣモジュールが内蔵された非接触ＩＣ記憶媒体を、冊子状印刷物の表表紙または裏表紙に貼付してなる非接触ＩＣ記憶媒体を有する冊子状印刷物であって、
前記非接触ＩＣ記憶媒体が、前記表表紙または裏表紙の内側表面の角部付近領域に貼付され、前記冊子状印刷物を綴じ合わせた際に、前記冊子状印刷物に貼付された非接触ＩＣ記憶媒体に内蔵されたＩＣチップ部分と、前記冊子状印刷物の内側に綴じ合わされた本文用紙とが重合しないように、前記本文用紙の角部付近領域に切り欠き部を設けたことを特徴とする非接触ＩＣ記憶媒体を有する冊子状印刷物。
【発明の詳細な説明】
【０００１】
【発明の属する技術分野】
本発明は、外部処理装置との通信を非接触で行うことができる非接触ＩＣモジュールが内蔵された非接触ＩＣ記憶媒体を有する冊子状印刷物に関するものである。
【０００２】
【従来の技術】
従来から、外部処理装置との通信を非接触で行う非接触ＩＣ記憶媒体として、例えば非接触型ＩＣカードが一般に知られている。これらの非接触型ＩＣカードは、通常プラスチック製であり、例えばポリ塩化ビニル基材による０．７６ｍｍの厚さのカードの内部に、信号の入出力を非接触で行うデータ通信用コイルと該データ通信用コイルに接続したＩＣチップ（半導体集積回路）からなる非接触ＩＣモジュールを内蔵させて非接触型ＩＣカードを構成するのが一般的である。
【０００３】
これらの非接触型ＩＣカードは、通常プラスチック製であるため内蔵する非接触ＩＣモジュールの形状によって、カード基材の加工・成形が必要なことからカードの製品価格が比較的高く、非接触方式の顧客サービスシステムを導入してサービスの改善を図ろうとする各業界の動向を阻害する要因にもなっている。
【０００４】
また、最近では非接触ＩＣモジュールの薄型化が可能となり、カード基材にポリエチレンテレフタレート基材を用いて、例えば０．２５ｍｍの厚さの非接触型ＩＣカードも開発されているが、これらの非接触ＩＣ記憶媒体としての非接触型ＩＣカードは、プラスチック製であるため各種の情報やデータを記入したり、プリンター等により印字したい場合にも、記入や印字をすることが出来ないので、データ記入や印字が必要な通帳やパスポート等の各種冊子状印刷物には適さないという問題がある。
【０００５】
このため、冊子状印刷物に非接触ＩＣ記憶手段を設けるために、非接触ＩＣモジュールを内蔵させた樹脂製シートにより表表紙または裏表紙を形成して、この表表紙と裏表紙の間に冊子の本文用紙を綴じ合わせて、紙製の本文用紙に記入することができるようにした冊子状印刷物も開発され公知となっている。
しかしながら、これらの冊子状印刷物は、通常非接触ＩＣモジュールを冊子状印刷物の表面側に設けた樹脂製シート内の中央付近に内蔵させた構造であるため、例えばこのような構造の冊子状印刷物を通帳等に用いた場合には、ＡＴＭ装置（自動入金出金装置）によるプリンター印字処理の際に、通帳の中央付近を走行する送りローラーにより、内蔵されたＩＣチップや非接触ＩＣモジュールに圧力が加わり、ＩＣチップや非接触ＩＣモジュールを壊す危険性があるので好ましくない。
【０００６】
また、冊子状印刷物の表表紙または裏表紙に非接触ＩＣモジュールを内蔵させるには、製造コストも高くなる為に、通帳のような再利用することができない印刷物にこれを用いるには資源上も無駄が多く問題がある。
【０００７】
【発明が解決しようとする課題】
本発明は、従来品に比べて省資源及び低い製造コストで非接触ＩＣ機能を設けることが可能な冊子状印刷物を提供するものであり、特に通帳等のようなプリンター印字装置による印字処理を行う必要がある用途の冊子状印刷物に用いた場合にも、プリンター印字装置内の送りローラーによる冊子状印刷物に設けた非接触ＩＣモジュールのＩＣチップに対する圧力による悪影響をできるだけ受けないように構成され、しかも冊子状印刷物を綴じ合わせた状態にしても冊子状印刷物の内部に綴り合わせた本文用紙でＩＣチップが押されないように工夫され、ＩＣチップの故障の原因を少なくするように構成された非接触ＩＣ記憶媒体を有する冊子状印刷物を提供するものである。
【０００８】
【課題を解決するための手段】
上述の目的を達成するために、本発明による非接触ＩＣ記憶媒体を有する冊子状印刷物は、重合され貼り合わされた２枚のシートの間に非接触ＩＣモジュールが内蔵された非接触ＩＣ記憶媒体を、冊子状印刷物の表表紙または裏表紙に貼付してなる非接触ＩＣ記憶媒体を有する冊子状印刷物であって、前記非接触ＩＣ記憶媒体が、前記表表紙または裏表紙の内側表面の角部付近領域に貼付され、前記冊子状印刷物を綴じ合わせた際に、前記冊子状印刷物に貼付された非接触ＩＣ記憶媒体に内蔵されたＩＣチップ部分と、前記冊子状印刷物の内側に綴じ合わされた本文用紙とが重合しないように、前記本文用紙の角部付近領域に切り欠き部を設けたことを特徴とする。
【００１２】
【発明の実施の形態】
以下、本発明を図面を用いて詳細に説明する。
図１は型抜き前の非接触ＩＣ記憶媒体における上側シートを取り除いた状態を示す平面図、図２は図１Ａ−Ａ断面図、図３は図２の非接触ＩＣ記憶媒体に粘着剤層と剥離紙を設けた状態を示す断面図、図４は図３の型抜き前の非接触ＩＣ記憶媒体から型抜き線で型抜きした非接触ＩＣ記憶媒体の断面図、図５は図３において異なる種類の非接触ＩＣモジュールを内蔵させた状態を示す断面図、図６は図５の型抜き前の非接触ＩＣ記憶媒体から型抜き線で型抜きした非接触ＩＣ記憶媒体の断面図、図７は本発明における冊子状印刷物で非接触ＩＣ記憶媒体を貼付した状態を示す斜視図、図８は図５のＢ−Ｂ断面図、図９は本発明における冊子状印刷物で本文用紙の角部分に切り欠き部を設けた状態を示す斜視図、図１０は図９の本文用紙を非接触ＩＣ記憶媒体を貼付した裏表紙側に重合した状態を示す斜視図、図１１は本発明における冊子状印刷物を綴じた状態を示す平面図である。
【００１３】
本発明に用いられる非接触ＩＣ記憶媒体１は、図１，図２に示すように、重合され貼り合わされた２枚のシート２ａ，２ｂの間に非接触ＩＣモジュール５が内蔵されて形成されている。
この非接触ＩＣモジュール５は、非接触用のＩＣチップ３と、このＩＣチップ３に接続された信号の受発信を非接触で行う受発信コイル４とから構成されている。
【００１４】
非接触ＩＣモジュール５の構成は種々あり、例えば厚さ８０μｍ程度からなるポリエチレンテレフタレートのシート２ｂ上に、図２に示すように、受発信コイル４として例えば導電性インキを用いてコイル印刷４ａを施すことで形成すると共に、導電性インキが交差する部分については導電性インキによるコイル印刷４ａ上に絶縁性インキでカバーし、その上に導電性インキによるコイル印刷４ａを施すことによりループ状の受発信コイル４を形成する。
導電性インキによるコイル印刷４ａでループ状に形成した受発信コイル４のターン数は、３〜５ターンが適当である。
また、コイル印刷４ａの幅は、約１ｍｍが好ましい。
【００１５】
受発信コイル４を導電性インキによるコイル印刷４ａを施すことで形成した場合には、非接触用のＩＣチップ３（例えば、厚さ５０μｍ程度のもの）の下部に厚さ２０μｍ程度の異方性導電シート６を設けることによりＩＣチップ３と導電性インキのコイル印刷４ａ部分とを接続させる。
そして、上側に非接触ＩＣモジュール５が設けられたシート２ｂ上に、図２に示すように接着剤７を塗布し、例えば厚さ８０μｍ程度からなるポリエチレンテレフタレートのシート２ａを重ね合わせて貼合させことで、型抜き前の状態の非接触ＩＣ記憶媒体１を作製する。
次に、図３に示すように、シート２ｂの下面側には、粘着剤９を塗布した後に、離型紙１０を貼り合わすか、または粘着剤９を塗工済の離型紙１０をシート２ｂの下面側に貼合させる。
そして、所望のサイズ（例えば縦２ｃｍ、横３ｃｍ）の型抜き線８から型抜きすることで図４に示すような非接触ＩＣ記憶媒体シール１ａを作製する。
【００１６】
また、非接触ＩＣモジュール５の受発信コイル４として、上記した導電性インキによるコイル印刷４ａに代えて被覆銅線４ｂを用いてもよい。
受発信コイル４に被覆銅線４ｂを用いた形態の例として図５，図６に示すように、非接触用のＩＣチップ３（例えば、厚さ５０μｍ程度のもの）と被覆銅線４ｂ（例えば、直径５０μｍ程度のものをループ状に約４ターン形成）とを接続して非接触ＩＣモジュール５を形成する。
そして、例えば厚さ１００μｍ程度からなる樹脂含浸紙による２枚のシート２ａ，２ｂの間に前記非接触ＩＣモジュール５を挟み込んで、それぞれのシート２ａ，２ｂの内面側に塗布した接着剤７ａ，７ｂにより接着一体化することで、型抜き前の状態の非接触ＩＣ記憶媒体１を作製する。
【００１７】
次に、図５に示すように、シート２ｂの下面側には、粘着剤９を塗布した後に、離型紙１０を貼り合わすか、または粘着剤９を塗工済の離型紙１０をシート２ｂの下面側に貼合させる。
そして、所望のサイズ（例えば縦２ｃｍ、横３ｃｍ）の型抜き線８から型抜きすることで図６に示すような非接触ＩＣ記憶媒体シール１ａを作製する。
【００１８】
また、シート２ａ，２ｂの間に接着剤の代わりに熱可塑性樹脂等の樹脂を用いて充填し硬化させることで非接触ＩＣモジュール５を非接触ＩＣ記憶媒体内に内蔵化させてもよい。
そして、非接触ＩＣ記憶媒体１は、予めシート２ｂの下面側に粘着剤９を塗布し離型紙１０を貼り合わさない状態のまま用意しておき、冊子状印刷物に貼り付ける必要が生じた際にシート２ｂの下面側に粘着剤９を塗布して冊子状印刷物の所望の位置に貼り付けるようにしてもよいものである。
【００１９】
本発明における第一の発明は、冊子状印刷物１１の表表紙１１ａまたは裏表紙１１ｂに非接触ＩＣ記憶媒体を貼付してなることを特徴とするものであり、図７には、裏表紙１１ｂの内側面に非接触ＩＣ記憶媒体１を貼付した構成を示している。
通常、冊子状印刷物には、表表紙１１ａと裏表紙１１ｂ、そして表表紙１１ａと裏表紙１１ｂの間に挟み込まれて設けられている本文用紙１１ｃとから構成されているが、本文用紙１１ｃに非接触ＩＣ記憶媒体１を貼付した構成にすると、本文用紙１１ｃをめくる際に非接触ＩＣ記憶媒体１が折れ曲がり、内蔵されている非接触ＩＣモジュール５に余計な応力が加わることで故障の原因となる危険性がある。
また、通常本文用紙１１ｃには、薄い紙厚の用紙を使用するため、非接触ＩＣ記憶媒体１を貼付すると、使用の際に用紙がちぎれる等の損傷の原因となる危険性がある。
【００２０】
また、第一の発明によれば、その冊子状印刷物１１の使用用途に応じて、非接触ＩＣ記憶媒体１を表表紙１１ａまたは裏表紙１１ｂの表面や裏面の所望の位置に貼付することで、形態を調整することができるものである。
また、特に表表紙１１ａまたは裏表紙１１ｂの表面に非接触ＩＣ記憶媒体１を貼付する場合には、シート２ａの表面に所望の印刷絵柄や文字情報を印刷するようにしてもよい。
【００２１】
次に、本発明における第二の発明は、前記非接触ＩＣ記憶媒体１を、図７に示すように前記冊子状印刷物１１の表表紙１１ａまたは裏表紙１１ｂの内側表面の角部付近領域に貼付してなるものである。
冊子状印刷物１１が通帳等のような、ＡＴＭ装置のプリンター印字処理を行う用途に用いる媒体の場合には、通帳の中央付近を走行する送りローラーにより内蔵された非接触ＩＣモジュールがこの送りローラーの影響で圧力が加わり、ＩＣチップや非接触ＩＣモジュールが壊れる危険性がある。
従って、冊子状印刷物１１の表表紙１１ａまたは裏表紙１１ｂの内側表面の角部付近領域に非接触ＩＣ記憶媒体１を貼付することで、これら送りローラーによる悪影響を回避することができるものである。
【００２２】
しかしながら、非接触ＩＣ記憶媒体１は、２枚のシート２ａ，２ｂの間にＩＣチップ３を挟み込んで構成しているため、ＩＣチップ３を内蔵した部分のシート２ａ，２ｂが外側に押し出され、非接触ＩＣ記憶媒体１の一部の厚みが実際には５０μｍ程度厚くなり、非接触ＩＣ記憶媒体１を冊子状印刷物１１の表表紙１１ａまたは裏表紙１１ｂに貼り付けると、図８に示すようにＩＣチップ３を内蔵した表面が膨れ上がる状態となる。
この状態で冊子状印刷物１１を綴じ合わせると、ＩＣチップ３は特に冊子状印刷物１１の内側に綴じ合わされた本文用紙１１ｃに押されることで圧力が加わり損傷や故障の原因となる危険性がある。
【００２３】
そこで、本発明における第三の発明は、図９に示すように、前記冊子状印刷物１１の表表紙１１ａまたは裏表紙１１ｂの内側表面の角部付近領域に非接触ＩＣ記憶媒体１を貼付するとともに、図１０に示すように冊子状印刷物１１の内側に綴じ合わされた本文用紙１１ｃを表表紙１１ａまたは裏表紙１１ｂに重ね綴じ合わせた際に、特に非接触ＩＣ記憶媒体１に内蔵されたＩＣチップ３の部分と本文用紙１１ｃとが重合しないように、前記本文用紙１１ｃの角部付近領域に切り欠き部１２が設けられているものである。
【００２４】
これにより、図１１に示すように、冊子状印刷物１１を綴じ合わせた状態にした時に、非接触ＩＣ記憶媒体１に内蔵されたＩＣチップ３が本文用紙１１ｃにより圧力を受けることによる故障等の悪影響を回避することができるものである。
前記本文用紙の付近領域に形成する切り欠き部１２の形状は、コーナーカットや角丸等の所望の形状で形成すればよい。
【００２５】
本発明の非接触ＩＣ記憶媒体を有する冊子状印刷物は、特にその冊子状印刷物が第三者により悪用されては困るような預金通帳やパスポート等に用いると効果的であり、この場合には、ＩＣチップ３に例えば本人の顔写真データ等の本人を証明する照合データを記憶させておき、外部装置との無線による信号の交信によって照合データの同一性を確認することで預金通帳やパスポート等の冊子状印刷物の使用の際における確実性を確保できるようにすることが可能となるものである。
【００２６】
【発明の効果】
以上、詳細に説明したように、本発明の非接触ＩＣ記憶媒体を有する冊子状印刷物は、冊子状印刷物本体と非接触ＩＣ記憶媒体とを別々に製造した後に、冊子状印刷物に非接触ＩＣ記憶媒体が貼付されているので、冊子状印刷物本体の構造を特別の構造とする必要がないため、冊子状印刷物本体も通常の用紙を用いて製造することですむので、低い製造コストで非接触ＩＣ処理を行うことができる冊子状印刷物を提供することができ、資源上も省資源でこれを作製することが可能である。
【００２７】
また、特に通帳等のようなプリンター印字装置による印字処理を行う必要がある用途の冊子状印刷物に用いた場合にも、非接触ＩＣ記憶媒体を表表紙または裏表紙の角部周辺領域に貼付しているのて、プリンター印字装置内の送りローラーによる冊子状印刷物に設けた非接触ＩＣモジュールのＩＣチップに対する圧力による悪影響をできるだけ受けない効果がある。
しかも冊子状印刷物を綴じ合わせた状態にしても冊子状印刷物の内部に綴り合わせた本文用紙でＩＣチップが押されないように工夫されているので、ＩＣチップが本文用紙で圧迫されて故障する危険性が非常に少ないという効果が期待できる。
【００２８】
【図面の簡単な説明】
【図１】型抜き前の非接触ＩＣ記憶媒体における上側シートを取り除いた状態を示す平面図である。
【図２】図１Ａ−Ａ断面図である。
【図３】図２の非接触ＩＣ記憶媒体に粘着剤層と剥離紙を設けた状態を示す断面図である。
【図４】図３の型抜き前の非接触ＩＣ記憶媒体から型抜き線で型抜きした非接触ＩＣ記憶媒体の断面図である。
【図５】図３において異なる種類の非接触ＩＣモジュールを内蔵させた状態を示す断面図である。
【図６】図５の型抜き前の非接触ＩＣ記憶媒体から型抜き線で型抜きした非接触ＩＣ記憶媒体の断面図である。
【図７】本発明における冊子状印刷物で非接触ＩＣ記憶媒体を貼付した状態を示す斜視図である。
【図８】図５のＢ−Ｂ断面図である。
【図９】本発明における冊子状印刷物で本文用紙の角部分に切り欠き部を設けた状態を示す斜視図である。
【図１０】図９の本文用紙を非接触ＩＣ記憶媒体を貼付した裏表紙側に重合した状態を示す斜視図である。
【図１１】本発明における冊子状印刷物を綴じた状態を示す平面図である。
【符号の説明】
１  非接触ＩＣ記憶媒体
１ａ  非接触ＩＣ記憶媒体シール
２ａ，２ｂ  シート
３  ＩＣチップ
４  受発信コイル
４ａ  コイル印刷
４ｂ  被覆銅線
５  非接触ＩＣモジュール
６  異方性導電シート
７，７ａ，７ｂ  接着剤
８  型抜き線
９  粘着剤
１０  離型紙
１１  冊子状印刷物
１１ａ  表表紙
１１ｂ  裏表紙
１１ｃ  本文用紙
１２  切り欠き部
【図１】
0004043622.tif 000002
【図２】
0004043622.tif 000003
【図３】
0004043622.tif 000004
【図４】
0004043622.tif 000005
【図５】
0004043622.tif 000006
【図６】
0004043622.tif 000007
【図７】
0004043622.tif 000008
【図８】
0004043622.tif 000009
【図９】
0004043622.tif 000010
【図１０】
0004043622.tif 000011
【図１１】
0004043622.tif 000012